(57)【要約】【課題】無線基地局の消費電力の削減を図りつつ、無線端末に良好なサービスを提供できるようにする。【解決手段】無線基地局ｅＮＢ＃２は、無線基地局ｅＮＢ＃１が自局の消費電力を低下させる非活性状態に切り替えることを示すDeactivation Indication IEを含むeNB Configuration Updateメッセージを無線基地局ｅＮＢ＃１から受信した後、無線基地局ｅＮＢ＃２に接続している無線端末ＵＥの状況に応じて、無線基地局ｅＮＢ＃１を活性状態に切り替えるためのCell Activation Requestメッセージを無線基地局ｅＮＢ＃１に送信する。【選択図】図５
2012004999.tif 000002
【特許請求の範囲】
【請求項１】
活性状態から前記活性状態よりも自局の消費電力の低下した非活性状態に切り替え可能な第１無線基地局と、
前記第１無線基地局に隣接する第２無線基地局と、
前記第１無線基地局が前記非活性状態である場合に、前記第２無線基地局に接続している無線端末の状況に応じて、前記第１無線基地局を前記非活性状態から前記活性状態に切り替えるよう制御する制御部と
を備える無線通信システム。
【請求項２】
前記第１無線基地局は、
自局が前記非活性状態に切り替えることを示す非活性情報を前記第２無線基地局に送信し、
前記第２無線基地局は、
前記制御部と、
前記非活性情報を前記第１無線基地局から受信する受信部と、
前記第１無線基地局を前記活性状態に切り替えるための活性化要求を前記第１無線基地局に送信可能な送信部と
を備え、
前記制御部は、
前記受信部が前記非活性情報を受信した後、前記第２無線基地局に接続している無線端末の状況に応じて、前記活性化要求を前記第１無線基地局に送信するよう前記送信部を制御する請求項１に記載の無線通信システム。
【請求項３】
前記制御部は、
前記受信部が前記非活性情報を受信した後、前記第２無線基地局に接続している１又は複数の無線端末が前記第１無線基地局へ接続先を切り替え得ることを示す条件が満たされた場合に、前記活性化要求を前記第１無線基地局に送信するよう前記送信部を制御する請求項２に記載の無線通信システム。
【請求項４】
前記制御部は、
前記受信部が前記非活性情報を受信した後、前記第２無線基地局に接続し且つ前記第１無線基地局から所定範囲内に位置する無線端末の数が所定数を超えた場合に、前記活性化要求を前記第１無線基地局に送信するよう前記送信部を制御する請求項２又は３に記載の無線通信システム。
【請求項５】
前記制御部は、
前記受信部が前記非活性情報を受信した後、前記第２無線基地局に接続し且つ前記第１無線基地局に向けて移動する無線端末の数が所定数を超えた場合に、前記活性化要求を前記第１無線基地局に送信するよう前記送信部を制御する請求項２又は３に記載の無線通信システム。
【請求項６】
前記制御部は、
前記受信部が前記非活性情報を受信した後、前記第２無線基地局に接続し且つ前記第２無線基地局からの受信電力レベルが閾値を下回る無線端末の数が所定数を超えた場合に、前記活性化要求を前記第１無線基地局に送信するよう前記送信部を制御する請求項２又は３に記載の無線通信システム。
【請求項７】
自局に隣接する他の無線基地局が消費電力を低下させる非活性状態に切り替えることを示す非活性情報を前記他の無線基地局から受信する受信部と、
前記他の無線基地局を前記非活性状態から活性状態に切り替えるための活性化要求を前記他の無線基地局に送信可能な送信部と、
前記受信部が前記非活性情報を受信した後、自局に接続している無線端末の状況に応じて、前記活性化要求を前記他の無線基地局に送信するよう前記送信部を制御する制御部と
を備える無線基地局。
【請求項８】
第１無線基地局が、自局の消費電力を低下させる非活性状態に切り替えることを示す非活性情報を自局に隣接する第２無線基地局に送信するステップと、
前記第２無線基地局が、前記非活性情報を前記第１無線基地局から受信するステップと、
前記第２無線基地局が、前記非活性情報を受信した後、自局に接続している無線端末の状況に応じて、前記第１無線基地局を前記非活性状態から活性状態に切り替えるための活性化要求を前記第１無線基地局に送信するステップと
を有する通信制御方法。
【発明の詳細な説明】
【技術分野】
【０００１】
本発明は、ＳＯＮ技術が適用される無線通信システム、無線基地局、及び通信制御方法に関する。
【背景技術】
【０００２】
無線通信システムの標準化団体である３ＧＰＰ（3rd Generation Partnership Project）で標準化されているＬＴＥ（Long Term Evolution）では、人手を介さずに、無線基地局に係る設定を無線基地局自身が変更可能なＳＯＮ（Self Organizing Network）技術が適用される。
【０００３】
ＳＯＮ技術の一つとして、消費電力を低下させる非活性状態へ無線基地局の状態を切り替えることにより、無線基地局の消費電力の削減を図る技術であるエナジーセービング技術がある（非特許文献１参照）。
【０００４】
エナジーセービング技術においては、無線基地局は、自局が非活性状態に切り替えることを他の無線基地局へ通知したり、他の無線基地局に対して活性状態に切り替えることを要求したりすることが可能である（非特許文献２参照）。
【先行技術文献】
【非特許文献】
【０００５】
【非特許文献１】３ＧＰＰ ＴＲ３６．９０２  Ｖ９．１．０
【非特許文献２】３ＧＰＰ ＴＳ３６．４２３  Ｖ９．２．０
【発明の概要】
【発明が解決しようとする課題】
【０００６】
しかしながら、非特許文献１及び２においては、エナジーセービング技術に関し、無線基地局間での通知や要求を行う判断基準について明確な定義が存在しない。したがって、エナジーセービング技術には、無線基地局の消費電力の削減を図りつつ、無線端末に良好なサービスを提供する点において、改善の余地があった。
【０００７】
そこで、本発明は、無線基地局の消費電力の削減を図りつつ、無線端末に良好なサービスを提供できる無線通信システム、無線基地局、及び通信制御方法を提供することを目的とする。
【課題を解決するための手段】
【０００８】
上述した課題を解決するために、本発明は以下のような特徴を有している。まず、本発明に係る無線通信システム（無線通信システム１Ａ又は１Ｂ）の特徴は、活性状態から前記活性状態よりも自局の消費電力の低下した非活性状態に切り替え可能な第１無線基地局（無線基地局ｅＮＢ＃１又はＲＲＨ＃１）と、前記第１無線基地局に隣接する第２無線基地局（無線基地局ｅＮＢ＃２又はＲＲＨ＃２）と、前記第１無線基地局が前記非活性状態である場合に、前記第２無線基地局に接続している無線端末の状況に応じて、前記第１無線基地局を前記非活性状態から前記活性状態に切り替えるよう制御する制御部（制御部２２０又は制御装置３００）とを備えることを要旨とする。
【０００９】
このような特徴によれば、第１無線基地局の消費電力を低下させつつ、第２無線基地局に接続している無線端末が第１無線基地局に接続先を切り換える可能性を考慮して第１無線基地局を非活性状態から活性状態に切り替えることができる。したがって、無線基地局の消費電力の削減を図りつつ、無線端末に良好なサービスを提供することができる。
【００１０】
本発明に係る無線通信システムの他の特徴は、上記の特徴に係る無線通信システムにおいて、前記第１無線基地局は、自局が前記非活性状態に切り替えることを示す非活性情報（Deactivation Indication IE）を前記第２無線基地局に送信し、前記第２無線基地局は、前記制御部と、前記非活性情報を前記第１無線基地局から受信する受信部（ネットワーク通信部２４０）と、前記第１無線基地局を前記活性状態に切り替えるための活性化要求（Cell Activation Request）を前記第１無線基地局に送信可能な送信部（ネットワーク通信部２４０）とを備え、前記制御部は、前記受信部が前記非活性情報を受信した後、前記第２無線基地局に接続している無線端末の状況に応じて、前記活性化要求を前記第１無線基地局に送信するよう前記送信部を制御することを要旨とする。
【００１１】
本発明に係る無線通信システムの他の特徴は、上記の特徴に係る無線通信システムにおいて、前記制御部は、前記受信部が前記非活性情報を受信した後、前記第２無線基地局に接続している１又は複数の無線端末が前記第１無線基地局へ接続先を切り替え得ることを示す条件が満たされた場合に、前記活性化要求を前記第１無線基地局に送信するよう前記送信部を制御することを要旨とする。
【００１２】
本発明に係る無線通信システムの他の特徴は、上記の特徴に係る無線通信システムにおいて、前記制御部は、前記受信部が前記非活性情報を受信した後、前記第２無線基地局に接続し且つ前記第１無線基地局から所定範囲内に位置する無線端末の数が所定数を超えた場合に、前記活性化要求を前記第１無線基地局に送信するよう前記送信部を制御することを要旨とする。
【００１３】
本発明に係る無線通信システムの他の特徴は、上記の特徴に係る無線通信システムにおいて、前記制御部は、前記受信部が前記非活性情報を受信した後、前記第２無線基地局に接続し且つ前記第１無線基地局に向けて移動する無線端末の数が所定数を超えた場合に、前記活性化要求を前記第１無線基地局に送信するよう前記送信部を制御することを要旨とする。
【００１４】
本発明に係る無線通信システムの他の特徴は、上記の特徴に係る無線通信システムにおいて、前記制御部は、前記受信部が前記非活性情報を受信した後、前記第２無線基地局に接続し且つ前記第２無線基地局からの受信電力レベルが閾値を下回る無線端末の数が所定数を超えた場合に、前記活性化要求を前記第１無線基地局に送信するよう前記送信部を制御することを要旨とする。
【００１５】
本発明に係る無線基地局（無線基地局ｅＮＢ＃２）の特徴は、自局に隣接する他の無線基地局（無線基地局ｅＮＢ＃１）が消費電力を低下させる非活性状態に切り替えることを示す非活性情報（Deactivation Indication IE）を前記他の無線基地局から受信する受信部（ネットワーク通信部２４０）と、前記他の無線基地局を前記非活性状態から活性状態に切り替えるための活性化要求（Cell Activation Request）を前記他の無線基地局に送信可能な送信部（ネットワーク通信部２４０）と、前記受信部が前記非活性情報を受信した後、自局に接続している無線端末（無線端末ＵＥ）の状況に応じて、前記活性化要求を前記他の無線基地局に送信するよう前記送信部を制御する制御部（制御部２２０）とを備えることを要旨とする。
【００１６】
本発明に係る通信制御方法の特徴は、第１無線基地局が、自局の消費電力を低下させる非活性状態に切り替えることを示す非活性情報を自局に隣接する第２無線基地局に送信するステップと、前記第２無線基地局が、前記非活性情報を前記第１無線基地局から受信するステップと、前記第２無線基地局が、前記非活性情報を受信した後、自局に接続している無線端末の状況に応じて、前記第１無線基地局を前記非活性状態から活性状態に切り替えるための活性化要求を前記第１無線基地局に送信するステップとを有することを要旨とする。
【発明の効果】
【００１７】
本発明によれば、無線基地局の消費電力の削減を図りつつ、無線端末に良好なサービスを提供できる無線通信システム、無線基地局、及び通信制御方法を提供できる。
【図面の簡単な説明】
【００１８】
【図１】ＬＴＥシステムの概要を説明するための図である。
【図２】第１実施形態〜第３実施形態に係る無線通信システムの概略構成を示す概略構成図である。
【図３】第１実施形態〜第３実施形態に係る無線基地局ｅＮＢ＃１の構成を示すブロック図である。
【図４】第１実施形態に係る無線基地局ｅＮＢ＃２の構成を示すブロック図である。
【図５】第１実施形態に係る無線通信システムの動作を示す動作シーケンス図である。
【図６】第２実施形態に係る無線基地局ｅＮＢ＃２の構成を示すブロック図である。
【図７】第２実施形態に係る無線通信システムの動作を示す動作シーケンス図である。
【図８】第３実施形態に係る無線基地局ｅＮＢ＃２の構成を示すブロック図である。
【図９】第３実施形態に係る無線通信システムの動作を示す動作シーケンス図である。
【図１０】その他の実施形態に係る無線通信システムの概略構成を示す概略構成図である。
【発明を実施するための形態】
【００１９】
図面を参照して、本発明の第１実施形態〜第３実施形態、及びその他の実施形態を説明する。以下の各実施形態における図面において、同一又は類似の部分には同一又は類似の符号を付す。
【００２０】
（１）第１実施形態
本発明の第１実施形態について、（１．１）ＬＴＥシステムの概要、（１．２）無線通信システムの構成、（１．３）無線基地局の構成、（１．４）無線通信システムの動作、（１．５）第１実施形態の効果の順に説明する。
【００２１】
（１．１）ＬＴＥシステムの概要
図１は、ＬＴＥシステムの概要を説明するための図である。
【００２２】
図１に示すように、複数の無線基地局ｅＮＢはＥ−ＵＴＲＡＮ（Evolved-UMTS Terrestrial Radio Access  Network）を構成する。複数の無線基地局ｅＮＢのそれぞれは、無線端末ＵＥにサービスを提供すべき通信エリアであるセルを形成する。無線端末ＵＥは、ユーザが所持する無線通信装置であり、ユーザ装置とも称される。
【００２３】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。
【００２４】
（１．２）無線通信システムの構成
図２は、第１実施形態に係る無線通信システム１Ａの概略構成を示す概略構成図である。
【００２５】
図２に示すように、無線通信システム１Ａは、セルＣ＃１を形成する無線基地局ｅＮＢ＃１と、無線基地局ｅＮＢ＃１に隣接し、セルＣ＃２を形成する無線基地局ｅＮＢ＃２とを有する。第１実施形態において、無線基地局ｅＮＢ＃１は第１無線基地局に相当し、無線基地局ｅＮＢ＃２は第２無線基地局に相当する。
【００２６】
また、無線通信システム１Ａは、セルＣ＃２内で無線基地局ｅＮＢ＃２に接続する複数の無線端末ＵＥを有する。無線基地局ｅＮＢ＃２は、無線基地局ｅＮＢ＃２に接続する無線端末ＵＥと無線通信を行う。ここで、無線基地局ｅＮＢ＃２に対する無線端末ＵＥの「接続」とは、無線端末ＵＥが無線基地局ｅＮＢ＃２を介して通信先と通信実行中の状態（Connected状態）を想定しているが、無線端末ＵＥが無線基地局ｅＮＢ＃２に対して待ち受けを行っている状態（Idle状態）も含む概念としてもよい。
【００２７】
無線基地局ｅＮＢ＃１と無線基地局ｅＮＢ＃２とは、上述したＸ２インタフェースを使用して基地局間通信を行うことができる。
【００２８】
（１．３）無線基地局の構成
次に、無線基地局の構成について、（１．３．１）無線基地局ｅＮＢ＃１の構成、（１．３．２）無線基地局ｅＮＢ＃２の構成の順に説明する。
【００２９】
（１．３．１）無線基地局ｅＮＢ＃１の構成
図３は、無線基地局ｅＮＢ＃１の構成を示すブロック図である。
【００３０】
図３に示すように、無線基地局ｅＮＢ＃１は、アンテナ１０１、無線通信部１１０、制御部１２０、記憶部１３０、及びネットワーク通信部１４０を有する。
【００３１】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して、無線基地局ｅＮＢ＃１に接続する無線端末ＵＥと無線信号の送受信を行う。また、無線通信部１１０は、送信信号の変調と受信信号の復調とを行う。
【００３２】
制御部１２０は、例えばＣＰＵを用いて構成され、無線基地局ｅＮＢ＃１が備える各種の機能を制御する。記憶部１３０は、例えばメモリを用いて構成され、無線基地局ｅＮＢ＃１の制御等に用いられる各種の情報を記憶する。ネットワーク通信部１４０は、Ｘ２インタフェースを使用して無線基地局ｅＮＢ＃２との基地局間通信を行う。電源部１５０は、無線基地局ｅＮＢ＃１の各ブロックへ電力を供給する。
【００３３】
制御部１２０は、接続端末判定部１２１、非活性状態通知部１２２、及び消費電力制御部１２３を有する。
【００３４】
接続端末判定部１２１は、無線基地局ｅＮＢ＃１に接続する無線端末ＵＥが存在するか否か判定する。当該判定は、周波数リソースあるいは無線ベアラの使用状況や、ＭＭＥからの情報に基づいて行われる。接続端末判定部１２１による判定結果の情報は、非活性状態通知部１２２に入力される。
【００３５】
非活性状態通知部１２２は、接続端末判定部１２１によって、無線基地局ｅＮＢ＃１に接続する無線端末ＵＥが存在しないと判定された場合に、自局の消費電力を低下させる非活性状態に切り替えることを示すDeactivation Indication IE（非活性情報）を含むeNB Configuration Updateメッセージを生成する。ここで、非活性状態とは、無線基地局ｅＮＢ＃１の少なくとも一部のブロックの電源をオフ（電力供給を停止）した状態や、無線基地局ｅＮＢ＃１の少なくとも一部のブロックへの供給電力を低下させた状態を意味する。非活性状態においては、少なくとも、消費電力の大きいブロックである無線通信部１１０に対する電力供給を停止することが好ましい。Deactivation Indication IE（非活性情報）を含むeNB Configuration Updateメッセージは、ネットワーク通信部１４０に入力される。
【００３６】
ネットワーク通信部１４０は、eNB Configuration Updateメッセージを、Ｘ２インタフェースを使用して無線基地局ｅＮＢ＃２に送信する。また、ネットワーク通信部１４０は、eNB Configuration Updateメッセージに対する応答であるeNB Configuration Update AcknowledgeメッセージをＸ２インタフェースを使用して受信する。
【００３７】
消費電力制御部１２３は、ネットワーク通信部１４０がeNB Configuration Update Acknowledgeメッセージを受信した場合に、非活性状態に切り替えるように電源部１５０を制御する。例えば、消費電力制御部１２３は、無線基地局ｅＮＢ＃１の少なくとも一部のブロックの電源をオフする、あるいは、無線基地局ｅＮＢ＃１の少なくとも一部のブロックへの供給電力を低下させるように電源部１５０を制御する。
【００３８】
また、ネットワーク通信部１４０は、無線基地局ｅＮＢ＃１を活性状態に切り替えるためのCell Activation RequestメッセージをＸ２インタフェースを使用して無線基地局ｅＮＢ＃２から受信する。そして、ネットワーク通信部１４０は、Cell Activation Requestメッセージに対する応答であるCell Activation ResponseメッセージをＸ２インタフェースを使用して無線基地局ｅＮＢ＃２に送信する。
【００３９】
消費電力制御部１２３は、ネットワーク通信部１４０がCell Activation Requestメッセージを送信する場合に、非活性状態から活性状態に切り換えるように電源部１５０を制御する。例えば、消費電力制御部１２３は、電源オフにしていたブロックへの電力の供給を再開する、あるいは、供給電力を低下させていたブロックへの供給電力を元に戻すように電源部１５０を制御する。
【００４０】
（１．３．２）無線基地局ｅＮＢ＃２の構成
図４は、第１実施形態に係る無線基地局ｅＮＢ＃２の構成を示すブロック図である。
【００４１】
図４に示すように、無線基地局ｅＮＢ＃２は、アンテナ２０１、無線通信部２１０、制御部２２０、記憶部２３０、及びネットワーク通信部２４０を有する。
【００４２】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線端末ＵＥと無線信号の送受信を行う。また、無線通信部２１０は、送信信号の変調と受信信号の復調とを行う。
【００４３】
制御部２２０は、例えばＣＰＵを用いて構成され、無線基地局ｅＮＢ＃２が備える各種の機能を制御する。記憶部２３０は、例えばメモリを用いて構成され、無線基地局ｅＮＢ＃２の制御等に用いられる各種の情報を記憶する。ネットワーク通信部２４０は、Ｘ２インタフェースを使用して無線基地局ｅＮＢ＃１との基地局間通信を行う。電源部２５０は、無線基地局ｅＮＢ＃２の各ブロックへ電力を供給する。
【００４４】
ネットワーク通信部２４０は、Deactivation Indication IE（非活性情報）を含むeNB Configuration UpdateメッセージをＸ２インタフェースを使用して無線基地局ｅＮＢ＃１から受信する。このようにネットワーク通信部２４０は、非活性情報を無線基地局ｅＮＢ＃１（第１無線基地局）から受信する受信部に相当する。また、ネットワーク通信部２４０は、eNB Configuration Update AcknowledgeメッセージをＸ２インタフェースを使用して無線基地局ｅＮＢ＃１に送信する。
【００４５】
制御部２２０は、位置情報取得部２２１Ａ、接続端末判定部２２２、及び活性化要求部２２３を有する。
【００４６】
位置情報取得部２２１Ａは、無線基地局ｅＮＢ＃２に接続する各無線端末ＵＥについて位置情報を取得する。なお、位置情報取得部２２１Ａは、eNB Configuration Update Acknowledgeメッセージをネットワーク通信部２４０が送信した場合にのみ、位置情報の取得を行うとしてもよい。
【００４７】
位置情報取得部２２１Ａによる位置情報取得方法としては、例えば以下の技術が利用できる。
【００４８】
（位置情報取得方法１）無線基地局ｅＮＢ＃２に接続する無線端末ＵＥがＧＰＳ（Global Positioning System）による測位機能を有している場合、位置情報取得部２２１Ａは、ＧＰＳを用いて生成される位置情報を無線端末ＵＥ毎に取得する。
【００４９】
（位置情報取得方法２）無線基地局ｅＮＢ＃２に接続する無線端末ＵＥがＧＰＳによる測位機能を有していない場合、位置情報取得部２２１Ａは、コアネットワーク側に設けられる位置管理サーバ（E-SLMC: Evolved Serving Mobile Location Center）から位置情報を無線端末ＵＥ毎に取得する。なお、位置管理サーバ（E-SLMC）の詳細については、3GPP TS36.305を参照されたい。
【００５０】
（位置情報取得方法３）無線基地局ｅＮＢ＃２に接続する各無線端末ＵＥから受信するメジャメントレポートに基づいて、無線端末ＵＥが複数の無線基地局それぞれから受信する無線信号の状態から無線端末ＵＥの位置を推定する。
【００５１】
（位置情報取得方法４）無線基地局ｅＮＢ＃２が形成するセルＣ＃２がセクタ分割されている場合には、無線基地局ｅＮＢ＃１の方向と対応するセクタにおける無線端末ＵＥと無線基地局ｅＮＢ＃２との間のパスロス等の情報から無線端末ＵＥの大まかな位置情報を取得できる。
【００５２】
接続端末判定部２２２は、Deactivation Indication IEを含むeNB Configuration Updateメッセージをネットワーク通信部２４０が受信した後、位置情報取得部２２１Ａによって取得された位置情報に基づいて、無線基地局ｅＮＢ＃２に接続し且つ無線基地局ｅＮＢ＃１から所定範囲内に位置する無線端末ＵＥの数が所定数を超えたか否かを判定する。ここで所定範囲とは、例えば、無線基地局ｅＮＢ＃１が形成するセルＣ＃１の範囲を意味する。当該所定範囲を示す情報は記憶部２３０に予め記憶されているものとする。また、所定数は、０以上の値とすることができる。
【００５３】
なお、無線基地局ｅＮＢ＃２に接続し且つ無線基地局ｅＮＢ＃１から所定範囲内に位置する無線端末ＵＥの数が所定数を超えるという条件が満たされることは、無線基地局ｅＮＢ＃２に接続する１又は複数の無線端末ＵＥが無線基地局ｅＮＢ＃１へ接続先を切り替え得ることを示す。
【００５４】
活性化要求部２２３は、接続端末判定部２２２によって、無線基地局ｅＮＢ＃２に接続し且つ無線基地局ｅＮＢ＃１から所定範囲内に位置する無線端末ＵＥの数が所定数を超えたと判定された場合に、無線基地局ｅＮＢ＃１を活性状態に切り替えるためのCell Activation Requestメッセージ（活性化要求）を生成する。
【００５５】
ネットワーク通信部２４０は、生成されたCell Activation RequestメッセージをＸ２インタフェースを使用して無線基地局ｅＮＢ＃１に送信する。このようにネットワーク通信部２４０は、活性化要求を無線基地局ｅＮＢ＃１（第１無線基地局）に送信する送信部に相当する。そして、ネットワーク通信部２４０は、Cell Activation Requestメッセージに対する応答であるCell Activation ResponseメッセージをＸ２インタフェースを使用して無線基地局ｅＮＢ＃１から受信する。
【００５６】
（１．４）無線通信システムの動作
図５は、第１実施形態に係る無線通信システム１Ａの動作を示す動作シーケンス図である。
【００５７】
ステップＳ１０１において、無線基地局ｅＮＢ＃１の接続端末判定部１２１は、無線基地局ｅＮＢ＃１に接続する無線端末ＵＥが存在するか否か判定する。無線基地局ｅＮＢ＃１に接続する無線端末ＵＥが存在しない場合、処理がステップＳ１０２に進む。
【００５８】
ステップＳ１０２において、無線基地局ｅＮＢ＃１の非活性状態通知部１２２は、Deactivation Indication IEを含むeNB Configuration Updateメッセージを生成する。無線基地局ｅＮＢ＃１のネットワーク通信部１４０は、生成されたeNB Configuration Updateメッセージを、Ｘ２インタフェースを使用して無線基地局ｅＮＢ＃２に送信する。無線基地局ｅＮＢ＃２のネットワーク通信部２４０は、Deactivation Indication IEを含むeNB Configuration Updateメッセージを受信する。
【００５９】
ステップＳ１０３において、無線基地局ｅＮＢ＃２のネットワーク通信部２４０は、eNB Configuration Updateメッセージに対する応答であるeNB Configuration Update AcknowledgeメッセージをＸ２インタフェースを使用して無線基地局ｅＮＢ＃１に送信する。無線基地局ｅＮＢ＃１のネットワーク通信部１４０は、eNB Configuration Update Acknowledgeメッセージを受信する。
【００６０】
ステップＳ１０４において、無線基地局ｅＮＢ＃１の消費電力制御部１２３は、非活性状態に切り替えるように電源部１５０を制御する。例えば、消費電力制御部１２３は、無線基地局ｅＮＢ＃１の少なくとも一部のブロックの電源をオフする、あるいは、無線基地局ｅＮＢ＃１の少なくとも一部のブロックへの供給電力を低下させるように電源部１５０を制御する。
【００６１】
ステップＳ１０５において、無線基地局ｅＮＢ＃２の位置情報取得部２２１Ａは、上記の（位置情報取得方法１）〜（位置情報取得方法４）の何れかを用いて、無線基地局ｅＮＢ＃２に接続する無線端末ＵＥの位置を示す位置情報を無線端末ＵＥ毎に取得する。
【００６２】
ステップＳ１０６において、無線基地局ｅＮＢ＃２の接続端末判定部２２２は、位置情報取得部２２１Ａによって取得された位置情報に基づいて、無線基地局ｅＮＢ＃２に接続し且つ無線基地局ｅＮＢ＃１から所定範囲内に位置する無線端末ＵＥの数が所定数を超えたか否かを判定する。無線基地局ｅＮＢ＃２に接続し且つ無線基地局ｅＮＢ＃１から所定範囲内に位置する無線端末ＵＥの数が所定数を超えた場合、処理がステップＳ１０７に進む。
【００６３】
ステップＳ１０７において、無線基地局ｅＮＢ＃２の活性化要求部２２３は、無線基地局ｅＮＢ＃１を活性状態に切り替えるためのCell Activation Requestメッセージ（活性化要求）を生成する。そして、ネットワーク通信部１４０は、生成されたCell Activation RequestメッセージをＸ２インタフェースを使用して無線基地局ｅＮＢ＃１に送信する。無線基地局ｅＮＢ＃１のネットワーク通信部１４０は、Cell Activation Requestメッセージを受信する。
【００６４】
ステップＳ１０８において、無線基地局ｅＮＢ＃１のネットワーク通信部１４０は、Cell Activation ResponseメッセージをＸ２インタフェースを使用して無線基地局ｅＮＢ＃２に送信する。無線基地局ｅＮＢ＃２のネットワーク通信部２４０は、Cell Activation Responseメッセージを受信する。
【００６５】
ステップＳ１０９において、無線基地局ｅＮＢ＃１の消費電力制御部１２３は、非活性状態から活性状態に切り換えるように電源部１５０を制御する。例えば、消費電力制御部１２３は、電源オフにしていたブロックへの電力の供給を再開する、あるいは、供給電力を低下させていたブロックへの供給電力を元に戻すように電源部１５０を制御する。
【００６６】
（１．５）第１実施形態の効果
以上説明したように、第１実施形態に係る無線基地局ｅＮＢ＃２は、Deactivation Indication IEを含むeNB Configuration Updateメッセージを受信した後、無線基地局ｅＮＢ＃２に接続し且つ無線基地局ｅＮＢ＃１から所定範囲内に位置する無線端末ＵＥの数が所定数を超えた場合に、無線基地局ｅＮＢ＃１を活性状態に切り替えるためのCell Activation Requestメッセージを無線基地局ｅＮＢ＃１に送信する。
【００６７】
これにより、無線基地局ｅＮＢ＃１の消費電力を低下させつつ、無線基地局ｅＮＢ＃２に接続する無線端末ＵＥが無線基地局ｅＮＢ＃１に接続先を切り換える可能性を考慮して無線基地局ｅＮＢ＃１を活性状態に切り替えることができ、無線基地局ｅＮＢ＃２に接続する無線端末ＵＥのサービス品質の劣化を抑制できる。
【００６８】
したがって、第１実施形態によれば、無線基地局ｅＮＢ＃１の消費電力の削減を図りつつ、無線基地局ｅＮＢ＃２に接続する無線端末ＵＥに良好なサービスを提供することができる。
【００６９】
（２）第２実施形態
次に、本発明の第２実施形態について、（２．１）無線基地局の構成、（２．２）無線通信システムの動作、（２．３）第２実施形態の効果の順に説明する。ただし、第１実施形態と異なる点を主として説明し、重複する説明を省略する。
【００７０】
（２．１）無線基地局の構成
第２実施形態では、無線基地局ｅＮＢ＃２の構成が第１実施形態と異なっており、無線基地局ｅＮＢ＃１の構成は第１実施形態と同様である。よって、無線基地局ｅＮＢ＃２の構成を説明する。図６は、第２実施形態に係る無線基地局ｅＮＢ＃２の構成を示すブロック図である。
【００７１】
図６に示すように、第２実施形態に係る無線基地局ｅＮＢ＃２は、第１実施形態で説明した位置情報取得部２２１Ａに代えて、移動方向推定部２２１Ｂを有する。
【００７２】
移動方向推定部２２１Ｂは、無線基地局ｅＮＢ＃２に接続する無線端末ＵＥの移動方向を無線端末ＵＥ毎に推定する。移動方向推定部２２１Ｂによる移動方向推定方法としては、例えば以下の技術が利用できる。
【００７３】
（移動方向推定方法１）無線端末ＵＥがＧＰＳ（Global Positioning System）による測位機能を有している場合、移動方向推定部２２１Ｂは、ＧＰＳを用いて生成される、各無線端末ＵＥの少なくとも２地点の位置情報に基づき、各無線端末ＵＥの移動方向を推定する。
【００７４】
（移動方向推定方法２）無線端末ＵＥがＧＰＳによる測位機能を有していない場合、移動方向推定部２２１Ｂは、コアネットワーク側に設けられる位置管理サーバ（E-SLMC: Evolved Serving Mobile Location Center）から、各無線端末ＵＥの少なくとも２地点の位置情報を取得して各無線端末ＵＥの移動方向を推定する。
【００７５】
（移動方向推定方法３）自局に接続する各無線端末ＵＥから受信するメジャメントレポートに基づいて、無線端末ＵＥが複数の無線基地局それぞれから受信する無線信号の状態から、無線端末ＵＥの少なくとも２地点の位置を推定して各無線端末ＵＥの移動方向を推定する。
【００７６】
（移動方向推定方法４）無線基地局ｅＮＢ＃２が形成するセルＣ＃２がセクタ分割されている場合には、無線基地局ｅＮＢ＃１の方向と対応するセクタにおける無線端末ＵＥと無線基地局ｅＮＢ＃２との間のパスロスの情報から無線基地局ｅＮＢ＃１に向けて移動する無線端末ＵＥを特定できる。
【００７７】
接続端末判定部２２２は、Deactivation Indication IEを含むeNB Configuration Updateメッセージをネットワーク通信部２４０が受信した後、移動方向推定部２２１Ｂによって推定された各無線端末ＵＥの移動方向に基づいて、無線基地局ｅＮＢ＃２に接続し且つ無線基地局ｅＮＢ＃１（具体的には無線基地局ｅＮＢ＃１が形成するセルＣ＃１）に向けて移動する無線端末ＵＥの数が所定数を超えたか否かを判定する。ここで所定数は、０以上の値とすることができる。なお、無線基地局ｅＮＢ＃１（具体的にはセルＣ＃１）の方向についての情報は記憶部２３０に予め記憶されているものとする。
【００７８】
なお、無線基地局ｅＮＢ＃２に接続し且つ無線基地局ｅＮＢ＃１に向けて移動する無線端末ＵＥの数が所定数を超えるという条件が満たされることは、無線基地局ｅＮＢ＃２に接続する１又は複数の無線端末ＵＥが無線基地局ｅＮＢ＃１へ接続先を切り替え得ることを示す。
【００７９】
活性化要求部２２３は、接続端末判定部２２２によって、無線基地局ｅＮＢ＃２に接続し且つ無線基地局ｅＮＢ＃１に向けて移動する無線端末ＵＥの数が所定数を超えたと判定された場合に、無線基地局ｅＮＢ＃１を活性状態に切り替えるためのCell Activation Requestメッセージを生成する。
【００８０】
ネットワーク通信部２４０は、生成されたCell Activation RequestメッセージをＸ２インタフェースを使用して無線基地局ｅＮＢ＃１に送信する。そして、ネットワーク通信部２４０は、Cell Activation Requestメッセージに対する応答であるCell Activation ResponseメッセージをＸ２インタフェースを使用して無線基地局ｅＮＢ＃１から受信する。
【００８１】
（２．２）無線通信システムの動作
図７は、第２実施形態に係る無線通信システム１Ａの動作を示す動作シーケンス図である。
【００８２】
ステップＳ２０１において、無線基地局ｅＮＢ＃１の接続端末判定部１２１は、無線基地局ｅＮＢ＃１に接続する無線端末ＵＥが存在するか否か判定する。無線基地局ｅＮＢ＃１に接続する無線端末ＵＥが存在しない場合、処理がステップＳ２０２に進む。
【００８３】
ステップＳ２０２において、無線基地局ｅＮＢ＃１の非活性状態通知部１２２は、Deactivation Indication IEを含むeNB Configuration Updateメッセージを生成する。無線基地局ｅＮＢ＃１のネットワーク通信部１４０は、生成されたeNB Configuration Updateメッセージを、Ｘ２インタフェースを使用して無線基地局ｅＮＢ＃２に送信する。無線基地局ｅＮＢ＃２のネットワーク通信部２４０は、Deactivation Indication IEを含むeNB Configuration Updateメッセージを受信する。
【００８４】
ステップＳ２０３において、無線基地局ｅＮＢ＃２のネットワーク通信部２４０は、eNB Configuration Updateメッセージに対する応答であるeNB Configuration Update AcknowledgeメッセージをＸ２インタフェースを使用して無線基地局ｅＮＢ＃１に送信する。無線基地局ｅＮＢ＃１のネットワーク通信部１４０は、eNB Configuration Update Acknowledgeメッセージを受信する。
【００８５】
ステップＳ２０４において、無線基地局ｅＮＢ＃１の消費電力制御部１２３は、非活性状態に切り替えるように電源部１５０を制御する。例えば、消費電力制御部１２３は、無線基地局ｅＮＢ＃１の少なくとも一部のブロックの電源をオフする、あるいは、無線基地局ｅＮＢ＃１の少なくとも一部のブロックへの供給電力を低下させるように電源部１５０を制御する。
【００８６】
ステップＳ２０５において、無線基地局ｅＮＢ＃２の移動方向推定部２２１Ｂは、上記の（移動方向推定方法１）〜（移動方向推定方法４）の何れかを用いて、無線基地局ｅＮＢ＃２に接続する各無線端末ＵＥの移動方向を推定する。
【００８７】
ステップＳ２０６において、無線基地局ｅＮＢ＃２の接続端末判定部２２２は、移動方向推定部２２１Ｂによって推定された移動方向に基づいて、無線基地局ｅＮＢ＃２に接続し且つ無線基地局ｅＮＢ＃１に向けて移動する無線端末ＵＥの数が所定数を超えたか否かを判定する。無線基地局ｅＮＢ＃２に接続し且つ無線基地局ｅＮＢ＃１に向けて移動する無線端末ＵＥの数が所定数を超えた場合、処理がステップＳ２０７に進む。
【００８８】
ステップＳ２０７において、無線基地局ｅＮＢ＃２の活性化要求部２２３は、無線基地局ｅＮＢ＃１を活性状態に切り替えるためのCell Activation Requestメッセージを生成する。そして、ネットワーク通信部１４０は、生成されたCell Activation RequestメッセージをＸ２インタフェースを使用して無線基地局ｅＮＢ＃１に送信する。無線基地局ｅＮＢ＃１のネットワーク通信部１４０は、Cell Activation Requestメッセージを受信する。
【００８９】
ステップＳ２０８において、無線基地局ｅＮＢ＃１のネットワーク通信部１４０は、Cell Activation ResponseメッセージをＸ２インタフェースを使用して無線基地局ｅＮＢ＃２に送信する。無線基地局ｅＮＢ＃２のネットワーク通信部２４０は、Cell Activation Responseメッセージを受信する。
【００９０】
ステップＳ２０９において、無線基地局ｅＮＢ＃１の消費電力制御部１２３は、非活性状態から活性状態に切り換えるように電源部１５０を制御する。例えば、消費電力制御部１２３は、電源オフにしていたブロックへの電力の供給を再開する、あるいは、供給電力を低下させていたブロックへの供給電力を元に戻すように電源部１５０を制御する。
【００９１】
（２．３）第２実施形態の効果
以上説明したように、第２実施形態に係る無線基地局ｅＮＢ＃２は、Deactivation Indication IEを含むeNB Configuration Updateメッセージを受信した後、無線基地局ｅＮＢ＃２に接続し且つ無線基地局ｅＮＢ＃１に向けて移動する無線端末ＵＥの数が所定数を超えた場合に、無線基地局ｅＮＢ＃１を活性状態に切り替えるためのCell Activation Requestメッセージを無線基地局ｅＮＢ＃１に送信する。
【００９２】
これにより、無線基地局ｅＮＢ＃１の消費電力を低下させつつ、無線基地局ｅＮＢ＃２に接続する無線端末ＵＥが無線基地局ｅＮＢ＃１に接続先を切り換える可能性を考慮して無線基地局ｅＮＢ＃１を活性状態に切り替えることができ、無線基地局ｅＮＢ＃２に接続する無線端末ＵＥのサービス品質の劣化を抑制できる。
【００９３】
したがって、第２実施形態によれば、無線基地局ｅＮＢ＃１の消費電力の削減を図りつつ、無線基地局ｅＮＢ＃２に接続する無線端末ＵＥに良好なサービスを提供することができる。
【００９４】
（３）第３実施形態
次に、本発明の第３実施形態について、（３．１）無線基地局の構成、（３．２）無線通信システムの動作、（３．３）第３実施形態の効果の順に説明する。ただし、第１実施形態と異なる点を主として説明し、重複する説明を省略する。
【００９５】
（３．１）無線基地局の構成
第３実施形態では、無線基地局ｅＮＢ＃２の構成が第１実施形態と異なっており、無線基地局ｅＮＢ＃１の構成は第１実施形態と同様である。よって、無線基地局ｅＮＢ＃２の構成を説明する。
【００９６】
図８は、第３実施形態に係る無線基地局ｅＮＢ＃２の構成を示すブロック図である。
【００９７】
図８に示すように、第３実施形態に係る無線基地局ｅＮＢ＃２は、第１実施形態で説明した位置情報取得部２２１Ａに代えて、受信電力レベル取得部２２１Ｃを有する。
【００９８】
受信電力レベル取得部２２１Ｃは、無線基地局ｅＮＢ＃２に接続する各無線端末ＵＥについて、無線基地局ｅＮＢ＃２からの受信電力レベルを取得する。無線端末ＵＥは、無線基地局ｅＮＢから受信する参照信号の受信電力レベル（ＲＳＲＰ： Reference Signal Received Power）を測定し、受信電力レベルの測定値を含む報告（メジャメントレポート）を接続先の無線基地局ｅＮＢに送信する。よって、受信電力レベル取得部２２１Ｃは、無線基地局ｅＮＢ＃２に接続する各無線端末ＵＥから無線通信部２１０が受信するメジャメントレポートに基づき、無線基地局ｅＮＢ＃２からの受信電力レベルを無線端末ＵＥ毎に取得できる。
【００９９】
接続端末判定部２２２は、Deactivation Indication IEを含むeNB Configuration Updateメッセージをネットワーク通信部２４０が受信した後、受信電力レベル取得部２２１Ｃによって取得された、無線端末ＵＥ毎の受信電力レベルを閾値と比較し、無線基地局ｅＮＢ＃２に接続し且つ無線基地局ｅＮＢ＃２からの受信電力レベルが閾値を下回る無線端末ＵＥの数が所定数を超えたか否かを判定する。なお、閾値は記憶部２３０に予め記憶されているものとする。
【０１００】
なお、無線基地局ｅＮＢ＃２に接続する無線端末ＵＥについて無線基地局ｅＮＢ＃２からの受信電力レベルが閾値を下回るという条件が満たされることは、当該無線端末ＵＥが無線基地局ｅＮＢ＃１へ接続先を切り替え得ることを示す。
【０１０１】
活性化要求部２２３は、接続端末判定部２２２によって、無線基地局ｅＮＢ＃２に接続し且つ無線基地局ｅＮＢ＃２からの受信電力レベルが閾値を下回る無線端末ＵＥの数が所定数を超えたと判定された場合に、無線基地局ｅＮＢ＃１を活性状態に切り替えるためのCell Activation Requestメッセージを生成する。
【０１０２】
ネットワーク通信部２４０は、生成されたCell Activation RequestメッセージをＸ２インタフェースを使用して無線基地局ｅＮＢ＃１に送信する。そして、ネットワーク通信部２４０は、Cell Activation Requestメッセージに対する応答であるCell Activation ResponseメッセージをＸ２インタフェースを使用して無線基地局ｅＮＢ＃１から受信する。
【０１０３】
（３．２）無線通信システムの動作
図９は、第３実施形態に係る無線通信システム１Ａの動作を示す動作シーケンス図である。
【０１０４】
ステップＳ３０１において、無線基地局ｅＮＢ＃１の接続端末判定部１２１は、無線基地局ｅＮＢ＃１に接続する無線端末ＵＥが存在するか否か判定する。無線基地局ｅＮＢ＃１に接続する無線端末ＵＥが存在しない場合、処理がステップＳ３０２に進む。
【０１０５】
ステップＳ３０２において、無線基地局ｅＮＢ＃１の非活性状態通知部１２２は、Deactivation Indication IEを含むeNB Configuration Updateメッセージを生成する。無線基地局ｅＮＢ＃１のネットワーク通信部１４０は、生成されたeNB Configuration Updateメッセージを、Ｘ２インタフェースを使用して無線基地局ｅＮＢ＃２に送信する。無線基地局ｅＮＢ＃２のネットワーク通信部２４０は、Deactivation Indication IEを含むeNB Configuration Updateメッセージを受信する。
【０１０６】
ステップＳ３０３において、無線基地局ｅＮＢ＃２のネットワーク通信部２４０は、eNB Configuration Updateメッセージに対する応答であるeNB Configuration Update AcknowledgeメッセージをＸ２インタフェースを使用して無線基地局ｅＮＢ＃１に送信する。無線基地局ｅＮＢ＃１のネットワーク通信部１４０は、eNB Configuration Update Acknowledgeメッセージを受信する。
【０１０７】
ステップＳ３０４において、無線基地局ｅＮＢ＃１の消費電力制御部１２３は、非活性状態に切り替えるように電源部１５０を制御する。例えば、消費電力制御部１２３は、無線基地局ｅＮＢ＃１の少なくとも一部のブロックの電源をオフする、あるいは、無線基地局ｅＮＢ＃１の少なくとも一部のブロックへの供給電力を低下させるように電源部１５０を制御する。
【０１０８】
ステップＳ３０５において、無線基地局ｅＮＢ＃２の受信電力レベル取得部２２１Ｃは、メジャメントレポートに基づき、無線基地局ｅＮＢ＃２に接続する各無線端末ＵＥについて、無線基地局ｅＮＢ＃２からの受信電力レベルを取得する。
【０１０９】
ステップＳ３０６において、無線基地局ｅＮＢ＃２の接続端末判定部２２２は、受信電力レベル取得部２２１Ｃによって取得された受信電力レベルに基づいて、無線基地局ｅＮＢ＃２に接続し且つ無線基地局ｅＮＢ＃２からの受信電力レベルが閾値を下回る無線端末ＵＥの数が所定数を超えたか否かを判定する。無線基地局ｅＮＢ＃２に接続し且つ無線基地局ｅＮＢ＃２からの受信電力レベルが閾値を下回る無線端末ＵＥの数が所定数を超えた場合、処理がステップＳ３０７に進む。
【０１１０】
ステップＳ３０７において、無線基地局ｅＮＢ＃２の活性化要求部２２３は、無線基地局ｅＮＢ＃１を活性状態に切り替えるためのCell Activation Requestメッセージを生成する。そして、ネットワーク通信部１４０は、生成されたCell Activation RequestメッセージをＸ２インタフェースを使用して無線基地局ｅＮＢ＃１に送信する。無線基地局ｅＮＢ＃１のネットワーク通信部１４０は、Cell Activation Requestメッセージを受信する。
【０１１１】
ステップＳ３０８において、無線基地局ｅＮＢ＃１のネットワーク通信部１４０は、Cell Activation ResponseメッセージをＸ２インタフェースを使用して無線基地局ｅＮＢ＃２に送信する。無線基地局ｅＮＢ＃２のネットワーク通信部２４０は、Cell Activation Responseメッセージを受信する。
【０１１２】
ステップＳ３０９において、無線基地局ｅＮＢ＃１の消費電力制御部１２３は、非活性状態から活性状態に切り換えるように電源部１５０を制御する。例えば、消費電力制御部１２３は、電源オフにしていたブロックへの電力の供給を再開する、あるいは、供給電力を低下させていたブロックへの供給電力を元に戻すように電源部１５０を制御する。
【０１１３】
（３．３）第３実施形態の効果
以上説明したように、第３実施形態に係る無線基地局ｅＮＢ＃２は、Deactivation Indication IEを含むeNB Configuration Updateメッセージを受信した後、無線基地局ｅＮＢ＃２に接続し且つ無線基地局ｅＮＢ＃２からの受信電力レベルが閾値を下回る無線端末ＵＥの数が所定数を超えた場合に、無線基地局ｅＮＢ＃１を活性状態に切り替えるためのCell Activation Requestメッセージを無線基地局ｅＮＢ＃１に送信する。
【０１１４】
これにより、無線基地局ｅＮＢ＃１の消費電力を低下させつつ、無線基地局ｅＮＢ＃２に接続する無線端末ＵＥが無線基地局ｅＮＢ＃１に接続先を切り換える可能性を考慮して無線基地局ｅＮＢ＃１を活性状態に切り替えることができ、無線基地局ｅＮＢ＃２に接続する無線端末ＵＥのサービス品質の劣化を抑制できる。
【０１１５】
したがって、第３実施形態によれば、無線基地局ｅＮＢ＃１の消費電力の削減を図りつつ、無線基地局ｅＮＢ＃２に接続する無線端末ＵＥに良好なサービスを提供することができる。
【０１１６】
（４）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０１１７】
（４．１）無線基地局ｅＮＢ＃１における制御の変更例
上述した各実施形態において、無線基地局ｅＮＢ＃１の接続端末判定部１２１は、無線基地局ｅＮＢ＃１に接続する無線端末ＵＥが存在するか否かを判定していたが、このような判定方法に限らず、次のような判定方法を使用できる。例えば、接続端末判定部１２１は、無線基地局ｅＮＢ＃１に接続する無線端末ＵＥの数が所定数以下であって、且つ当該無線端末ＵＥが他の無線基地局から受信する参照信号の受信電力レベルが閾値以上であるか否かを判定してもよい。ここで、受信電力レベルは、メジャメントレポートに基づくものである。そして、非活性状態通知部１２２は、接続端末判定部１２１によって、無線基地局ｅＮＢ＃１に接続する無線端末ＵＥの数が所定数以下であって、且つ当該無線端末ＵＥが他の無線基地局から受信する参照信号の受信電力レベルが閾値以上であると判定された場合に、非活性状態に切り替えることを示すDeactivation Indication IE（非活性情報）を含むeNB Configuration Updateメッセージを生成する。
【０１１８】
（４．２）無線通信システムの変更例
上述した各実施形態では、無線通信部及び制御部が一体的に設けられた無線基地局について説明したが、制御部を外部に設けた無線基地局（ＲＲＨ： Remote Radio Head）を使用してもよい。
【０１１９】
図１０は、その他の実施形態に係る無線通信システム１Ｂの概略構成を示す概略構成図である。
【０１２０】
図１０に示すように、無線通信システム１Ｂは、セルＣ＃１を形成する無線基地局ＲＲＨ＃１と、無線基地局ＲＲＨ＃１に隣接し、セルＣ＃２を形成する無線基地局ＲＲＨ＃２と、無線基地局ＲＲＨ＃１及びＲＲＨ＃２を制御する制御装置３００とを有する。第１実施形態において、無線基地局ＲＲＨ＃１は第１無線基地局に相当し、無線基地局ＲＲＨ＃２は第２無線基地局に相当し、制御装置３００は制御部に相当する。
【０１２１】
無線基地局ＲＲＨ＃１は、アンテナ１０１、無線通信部１１０及び電源部１５０を有する。アンテナ１０１は、無線信号の送受信に用いられる。無線通信部１１０は、例えば無線周波数（ＲＦ）回路等を用いて構成され、アンテナ１０１を介して、無線基地局ＲＲＨ＃１に接続する無線端末ＵＥと無線信号の送受信を行う。電源部１５０は、無線基地局ＲＲＨ＃１の活性状態において無線通信部１１０に電力を供給し、非活性状態において無線通信部１１０に対する電力供給を停止する。
【０１２２】
無線基地局ＲＲＨ＃２は、アンテナ２０１、無線通信部２１０及び電源部２５０を有する。アンテナ２０１は、無線信号の送受信に用いられる。無線通信部２１０は、例えば無線周波数（ＲＦ）回路等を用いて構成され、アンテナ２０１を介して、無線基地局ＲＲＨ＃２に接続する無線端末ＵＥと無線信号の送受信を行う。電源部２５０は、無線基地局ＲＲＨ＃２の活性状態において無線通信部２１０に電力を供給し、非活性状態において無線通信部２１０に対する電力供給を停止する。
【０１２３】
制御装置３００は、上述した制御部１２０及び制御部２２０と同様の機能を有する。制御装置３００は、無線基地局ＲＲＨ＃１が非活性状態である場合に、無線基地局ＲＲＨ＃２に接続している無線端末の状況に応じて、無線基地局ＲＲＨ＃１を活性状態に切り替えるよう制御する。
【０１２４】
第１実施形態に従うと、制御装置３００は、無線基地局ＲＲＨ＃１が非活性状態である場合であって、無線基地局ＲＲＨ＃２に接続し且つ無線基地局ＲＲＨ＃１から所定範囲内に位置する無線端末ＵＥの数が所定数を超えた場合に、無線基地局ＲＲＨ＃１を活性状態に切り替えるよう制御する。
【０１２５】
第２実施形態に従うと、制御装置３００は、無線基地局ＲＲＨ＃１が非活性状態である場合であって、無線基地局ＲＲＨ＃２に接続し且つ無線基地局ＲＲＨ＃１（セルＣ＃１）に向けて移動する無線端末ＵＥの数が所定数を超えた場合に、無線基地局ＲＲＨ＃１を活性状態に切り替えるよう制御する。
【０１２６】
第３実施形態に従うと、制御装置３００は、無線基地局ＲＲＨ＃１が非活性状態である場合であって、無線基地局ＲＲＨ＃２に接続し且つ無線基地局ＲＲＨ＃２からの受信電力レベルが閾値を下回る無線端末ＵＥの数が所定数を超えた場合に、無線基地局ＲＲＨ＃１を活性状態に切り替えるよう制御する。
【０１２７】
（４．３）実施形態の応用例
上述した各実施形態では、ＬＴＥ（3GPP Release 8又は9）に基づく無線通信システムについて説明したが、ＬＴＥを高度化したＬＴＥ  Ａｄｖａｎｃｅｄ（3GPP Release 10）では、送信電力の異なる複数種類の無線基地局が混在するヘテロジーニアスネットワークの提供が予定されており、当該ヘテロジーニアスネットワークに本発明を適用してもよい。また、ＬＴＥ  Ａｄｖａｎｃｅｄでは、バックホールを無線により構成する無線基地局であるリレーノードの提供が予定されており、当該リレーノードを本発明に係る無線基地局としてもよい。
【０１２８】
さらに、上述した各実施形態では、ＬＴＥシステムについて説明したが、モバイルＷｉＭＡＸ（ＩＥＥＥ ８０２．１６ｅ）に基づく無線通信システム等、他の無線通信システムに対して本発明を適用してもよい。
【０１２９】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１３０】
ＵＥ…無線端末、ｅＮＢ，ＲＲＨ…無線基地局、１Ａ，１Ｂ…無線通信システム、１０１…アンテナ、１１０…無線通信部、１２０…制御部、１２１…接続端末判定部、１２２…非活性状態通知部、１２３…消費電力制御部、１３０…記憶部、１４０…ネットワーク通信部、１５０…電源部、２０１…アンテナ、２１０…無線通信部、２２０…制御部、２２１Ａ…位置情報取得部、２２１Ｂ…移動方向推定部、２２２…接続端末判定部、２２３…活性化要求部、２３０…記憶部、２４０…ネットワーク通信部、２５０…電源部
【図１】
2012004999.tif 000003
【図２】
2012004999.tif 000004
【図３】
2012004999.tif 000005
【図４】
2012004999.tif 000006
【図５】
2012004999.tif 000007
【図６】
2012004999.tif 000008
【図７】
2012004999.tif 000009
【図８】
2012004999.tif 000010
【図９】
2012004999.tif 000011
【図１０】
2012004999.tif 000012